(57)【要約】      （修正有）【課題】被養生材に養生テープを貼付する際、きれいに貼ることができ、各種のサイズの被養生材に養生テープを貼ることができ、しかも、一人でできる養生テープ貼付機の提供。【解決手段】ハンドル５で原車６を回転すると、ベルトを通して従車４が回転し、従車に連動するベルトコンベア３のベルト車が回転して、ベルトコンベアが動きだし、ベルトコンベアに接しているウレタンローラ８ーも回転し、ベルトコンベアの上に乗せられた被養生材がウレタンローラーの下まで運ばれると同時に、養生テープ巻物から出てくる養生テープがウレタンローラーの下に引っ張り出され、被養生材の上に圧着され、さらに、被養生材は先へ運ばれ、この後、ハンドルを止めると、ベルトコンベアが止まり、カッターナイフで養生テープを切り取り、養生テープ付被養生材が出来上がる。【選択図】図１
0003138108.tif 000002
【実用新案登録請求の範囲】
【請求項１】
ハンドルで原車を回転すると、ベルトを通して従車が回転し、従車に連動するベルトコンベアのベルト車が回転して、ベルトコンベアが動きだし、ベルトコンベアに接しているウレタンローラーも回転し、ベルトコンベアの上に乗せられた被養生材がウレタンローラーの下まで運ばれると同時に、養生テープ巻物から出てくる養生テープがウレタンローラーの下に引っ張り出され、前記被養生材の上に圧着され、さらに、被養生材は先へ運ばれ、この後、ハンドルを止めると、ベルトコンベアが止まり、カッターナイフで養生テープを切り取り、養生テープ付被養生材が出来上がり、前記ウレタンローラーの下には、スチールローラーが設置されており、ウレタンローラーの軸の軸受を固定する台座の下にはスプリングが設けられ、台座の下部にショックアブソーバーを設置していることを特徴とする養生テープ貼付機。
【請求項２】
請求項１記載の養生テープ貼付機において、原車に連動するようにした電動モーターおよびスイッチを取付けた養生テープ貼付機。
【考案の詳細な説明】
【技術分野】
【０００１】
本考案は、円形、三角形などの各種形状の鉄板、鋼板などの製品の養生面に養生テープを貼付する装置に関するものである。
【背景技術】
【０００２】
従来、養生テープを貼付するのに、人の手でされているのが、現状である。他方、動力を使った大型の自動機でなされている企業もある。公開特許公報としては、特許文献１がある。
【特許文献１】特開２００２−３３８１３１号公報
【考案の開示】
【考案が解決しようとする課題】
【０００３】
従来の人の手で養生テープを貼付する方法は、きれいに貼ることが困難であり、テープにしわができたり、またテープと被養生材との間に空気が入ったりして、その後のプレス加工（折り曲げ加工）等がある場合は、品質に悪い影響がでてくる。さらに、特に大きいサイズの被養生材に養生テープを貼る場合、労力と時間がかかっていた。
【課題を解決するための手段】
【０００４】
本考案は、養生テープ貼付機において、ハンドルで原車を回転すると、ベルトを通して従車が回転し、従車に連動するベルトコンベアのベルト車が回転して、ベルトコンベアが動きだし、ベルトコンベアに接しているウレタンローラー（表面にウレタン樹脂で被覆したローラー）も回転し、ベルトコンベアの上に乗せられた被養生材がウレタンローラーの下まで運ばれると同時に、養生テープ巻物から出てくる養生テープがウレタンローラーの下に引っ張り出され、前記被養生材の上に圧着され、さらに、被養生材は先へ運ばれ、この後、ハンドルを止めると、ベルトコンベアが止まり、カッターナイフで養生テープを切り取り、養生テープ付被養生材が出来上がる。
前記ウレタンローラーの下には、スチールローラーが設置されており、ウレタンローラーの軸の軸受を固定する台座の下にはスプリングが設けられ、台座の下部にショックアブソーバーを設置していることを特徴とする。
【考案の効果】
【０００５】
本考案の養生テープ貼付機によると、養生テープがしわになったり、被養生材と養生テープの間に空気が入ったりしないので、被養生材に養生テープが密着する。一人で、簡単に短時間でしかも、きれいに作業ができ、女性の方でも楽に作業ができる。また、本体フレームはアルミ製で軽量化も図った。さらに、構造が簡単で、比較的安価に製作でき、移動も簡単にできる。
【考案を実施するための最良の形態】
【０００６】
本考案は、養生テープ貼付機において、ハンドルで原車を回転すると、ベルトを通して従車が回転し、従車に連動するベルトコンベアのベルト車が回転して、ベルトコンベアが動きだし、ベルトコンベアに接しているウレランローラーも回転し、ベルトコンベアの上に乗せられた被養生材がウレタンローラーの下まで運ばれると同時に、養生テープ巻物から出てくる養生テープがウレタンローラーの下に引っ張り出され、前記被養生材の上に圧着され、さらに、被養生材は先へ運ばれ、この後、ハンドルを止めると、ベルトコンベアが止まり、カッターナイフで養生テープを切り取り、養生テープ付被養生材が出来上がる。
前記ウレタンローラーの下には、スチールローラーが設置されており、ウレタンローラーの軸の軸受を固定する台座の下にはスプリングが設けられ、台座の下部にショックアブソーバーを設置している。
【実施例１】
【０００７】
図１および図２は、本考案の一実施例であって、本体フレーム１の下端にはストッパー付キャスター２を設け、上端にはベルトコンベア３を設置し、ベルトコンベア３のベルト車に連動する従車４は、ハンドル５を付設した原車６とベルト７を介して連動している。ハンドル５を回すと、原車６が回転し、従車４に連動するベルトコンベア３のベルト車が回転して、ベルトコンベア３が動きだす。ベルトコンベア３に接しているウレランローラー８も回転し、ベルトコンベア３の上に乗せられた被養生材Aがウレタンローラー８の下まで運ばれると同時に、養生テープ巻物９から出てくる養生テープ１０がウレタンローラー８の下に引っ張り出され、ウレタンローラー８によって養生テープ１０が被養生材Aの上に圧着される。さらに、被養生材Aは先へ運ばれた時に、ハンドル５を止めると、ベルトコンベア３が止まり、カッターナイフで養生テープ１０を切り取り、養生テープ付被養生材Bが出来上がる。
図３に示す通り、ウレタンローラー８の下には、スチールローラー１１が設置されており、ウレタンローラー８の軸の軸受１２を固定する台座１３の下にはスプリング１４が設けられ、台座１３の下部にショックアブソーバー１５を設置している。
ベルトコンベア３の上に段ボール紙１６を乗せて置くと、カッターナイフで養生テープ１０を切り取る際、ベルトコンベア３の表面を傷つけなくて良い。
【０００８】
まず、ハンドル５を回すと、原車６が回転し、従車４に連動するベルトコンベア３のベルト車が回転して、ベルトコンベア３が動きだし、ベルトコンベア３に接しているウレランローラー８も回転し、ベルトコンベア３の上に乗せられた被養生材Aがウレタンローラー８の下まで運ばれると同時に、養生テープ巻物９から出てくる養生テープ１０がウレタンローラー８の下に引っ張り出され、ウレタンローラー８によって養生テープ１０が被養生材Aの上に圧着される。ウレタンローラー８とウレタンローラー８の下に設置されたスチールローラー１１との間には、ベルトコンベア３の厚みが通る程度の隙間しかないが、前記圧着の際、ウレタンローラー８とスチールローラー１１との間に被養生材Aと養生テープ１０の厚みが加わるので、その瞬間、ウレタンローラー８が上に動き、台座１３に固定しているウレタンローラー８の軸を受けている軸受１２が連動し、台座１３に固着したスプリング１４が伸びる。直後に、台座１３が元の位置に戻るよう台座１３にショックアブソーバー１５を設けている。さらに、被養生材Aが先へ運ばれた時に、ハンドル5を止めると、ベルトコンベア３が止まり、カッターナイフで養生テープ１０を切り取り、養生テープ付被養生材Bが出来上がる。
【０００９】
養生テープ１０の幅は自由であるが、たとえば、１２５０mmであったり、５００mmであったりする。また、被養生材Aのサイズは、１０mm四方位の小物から定尺サイズの１２５０mm×２５００mmでも可能である。披養生材Aの厚みは０．５〜６ｍｍ位、材質は問いません。  
【実施例２】
【００１０】
本考案の他の実施例として、ハンドルで原車を回す代わりに、原車に連動するようにした電動モーターおよびスイッチを取付けて駆動できるようにすると、電動でベルトコンベアを動かすことができる。
【産業上の利用可能性】
【００１１】
被養生材に養生テープを貼り付ける機器において、一人で作業ができ、しかも、短時間できれいに貼り付ける。そして、どのようなサイズの被養生材にもできる。さらに、連続して作業ができる。以上のことから、本考案は、安価に作成でき、しかも、移動が簡単にできる。
【図面の簡単な説明】
【００１２】
【図１】本考案の一実施例の斜視図である。
【図２】本考案の一実施例の主要部分の側面図である。
【図３】本考案の一実施例の圧着する部分の側面図である。
【符号の説明】
【００１３】
３・・・・ベルトコンベア
４・・・・従車
５・・・・ハンドル
６・・・・原車
８・・・・ウレタンローラー
１０・・・養生テープ
１１・・・スチールローラー
１２・・・軸受
１３・・・台座
１４・・・スプリング
１５・・・ショックアブソーバー
【図１】
0003138108.tif 000003
【図２】
0003138108.tif 000004
【図３】
0003138108.tif 000005
【手続補正書】
【提出日】平成19年10月18日(2007.10.18)
【手続補正１】
【補正対象書類名】図面
【補正対象項目名】図３
【補正方法】変更
【補正の内容】
【図３】
0003138108.tif 000006